(57)【要約】カートン（１５０）は、該カートンの上端部に接触し、続いて封止することができる旋回する再封止可能な蓋（１６０）を含む。袋または他の軟質容器（１１０）を該カートン（１５０）内に収容した場合に、容器（１１０）が、第１の蓋セクション（１６１）と第１の側部パネル（３０）との間に押圧されるように、蓋の第１のセクション（１６１）は、第１の側部パネル（３０）の方へ旋回することができる。それによって、袋の内容物は、カートン内に確実に保持される。
2009513451.tif 000002
【特許請求の範囲】
【請求項１】
カートンを開閉する方法において、
第１の端部パネルと、
第１の側部パネルと、
前記第１の端部パネルの反対側の第２の端部パネルと、
前記第１の側部パネルの反対側の第２の側部パネルと、
底部パネルと、
上部パネルとを含み、
再封止可能な蓋は、前記上部パネルの少なくとも一部と、前記第１の端部パネルの少なくとも一部と、前記第２の端部パネルの少なくとも１部とを含み、前記再封止可能な蓋は、前記第２の側部パネルに旋回可能に載置された第１のセクションを有する、カートンを提供するステップと、
カートンを開口するステップと、
前記第１のセクションが前記第１の側部パネルの方へ移動するように、前記第１のセクションを旋回するステップと、
を含む、方法。
【請求項２】
前記第１の側部パネルの方へ前記第１のセクションを旋回するステップは、前記上部パネルの前記一部を、前記第１の側部パネルに隣接するまで旋回するステップを含む、請求項１に記載の方法。
【請求項３】
前記再封止可能な蓋は、前記第１の側部パネルの少なくとも一部を含む第２のセクションを含む、請求項１または２に記載の方法。
【請求項４】
前記第１の側部パネルの方へ前記第１のセクションを旋回するステップは、前記上部パネルの前記一部を、前記蓋の前記第２のセクションに隣接するまで旋回するステップを含む、請求項３に記載の方法。
【請求項５】
前記第１の側部パネルの方へ前記第１のセクションを旋回するステップは、前記第２の側部パネル内の折り目線の周囲で前記第１のセクションを旋回するステップを含む、請求項１乃至４に記載の方法。
【請求項６】
軟質容器が前記カートン内に配置される、請求項１乃至５に記載の方法。
【請求項７】
前記第１の側部パネルの方へ前記第１のセクションを旋回するステップは、前記上部パネルの前記一部と前記第１の側部パネルとの間に、前記軟質容器の上部を押圧するステップを含む、請求項６に記載の方法。
【請求項８】
前記上部パネルの前記一部と前記第１の側部パネルとの間に前記軟質容器の上部を押圧するステップは、前記再封止可能な蓋の第２のセクションに対して前記軟質容器を押圧するステップを含む、請求項７に記載の方法。
【請求項９】
前記カートンを開口するステップは、
前記第１の端部パネルの残部から前記第１の端部パネルの蓋部分を分離するステップと、
前記第２の端部パネルの残部から前記第２の端部パネルの蓋部分を分離するステップと、を含む請求項１乃至８に記載の方法。
【請求項１０】
前記カートンを開口するステップは、前記第１の端部パネルの前記蓋部分から、前記第１の側部パネルの蓋部分を分離するステップを含む、請求項９に記載の方法。
【請求項１１】
前記カートンを開口するステップは、前記上部パネル内の開封帯を引き裂くステップを含む、請求項１乃至１０に記載の方法。
【請求項１２】
前記上部パネルは、複数の端上部フラップを含む、請求項１乃至１１に記載の方法。
【請求項１３】
前記カートンは、略直方体である、請求項１乃至１１に記載の方法。
【請求項１４】
カートンであって、
第１の端部パネルと、
第１の側部パネルと、
前記第１の端部パネルの反対側の第２の端部パネルと、
前記第１の側部パネルの反対側の第２の側部パネルと、
底部パネルと、
上部パネルと、を含み、
再封止可能な蓋が、少なくとも前記上部パネル、前記第１の端部パネル、および第２の端部パネル内に画定され、前記再封止可能な蓋は、前記第２の側部パネルに旋回可能に載置された第１のセクションを有する、カートン。
【請求項１５】
前記再封止可能な蓋は、
前記第１の端部パネル内に画定された第１の端部蓋パネルと、
前記第２の端部パネル内に画定された第２の端部蓋パネルと、を含む請求項１４に記載のカートン。
【請求項１６】
前記再封止可能な蓋は、
前記第１の端部パネルの上部を横断して延在し、前記第１の端部蓋パネルの底部縁を画定する、破断可能な分断線と、
前記第２の端部パネルの上部を横断して延在し、前記第２の端部蓋パネルの底部縁を画定する、破断可能な分断線と、によって部分的に画定される請求項１５に記載のカートン。
【請求項１７】
前記再封止可能な蓋は、
前記第１の端部蓋パネルと前記第１の側部パネルの一部との間の破断可能な分断線と、
前記第２の端部蓋パネルと前記第１の側部パネルの一部との間の破断可能な分断線と、によってさらに部分的に画定される請求項１６に記載のカートン。
【請求項１８】
前記再封止可能な蓋は、少なくとも前記第１の側部パネル内に画定された第２のセクションを含む、請求項１４乃至１７に記載のカートン。
【請求項１９】
前記第１のセクションは、少なくとも１つの引き裂き線で前記第２のセクションに接続される、請求項１８に記載のカートン。
【請求項２０】
前記カートン内に収容される軟質容器をさらに含む、請求項１４乃至１９に記載のカートン。
【請求項２１】
前記第１のセクションの底部縁は、前記第２の側部パネルを横断して延在する折り目線によって画定される、請求項１４乃至２０に記載のカートン。
【請求項２２】
前記上部パネル内に開封帯をさらに含む、請求項１４乃至２１に記載のカートン。
【請求項２３】
前記上部パネルは、複数の端上部フラップを含む、請求項１４乃至２２に記載のカートン。
【請求項２４】
前記カートンは、略直方体である、請求項１４乃至２３に記載のカートン。
【請求項２５】
カートンブランクであって、
第１の端部パネルと、
第１の横断方向折り目線で前記第１の端部パネルに接続された第１の側部パネルと、
第２の端部パネルと、
第２の横断方向折り目線で前記第２の端部パネルに接続された第２の側部パネルと、
前記ブランクの第１の周縁の領域に沿って延在する、少なくとも１つの上部フラップと、
前記ブランクの第２の周縁の領域に沿って延在する、少なくとも１つの底部フラップと、
前記第２の側部パネルを通って延在する、第１の長手方向折り目線と、
前記第１の端部パネルと前記第１の側部パネルとの間に略横断方向に延在する第１の引き裂き線と、
前記第２の端部パネルと前記第２の側部パネルとの間に略横断方向に延在する第２の引き裂き線と、
を含む、カートンブランク。
【請求項２６】
前記第１の端部パネルを通って略長手方向に延在し、前記第１の引き裂き線に隣接した第３の引き裂き線をさらに含む、請求項２５に記載のカートンブランク。
【請求項２７】
前記第２の端部パネルを通って略長手方向に延在し、前記第２の引き裂き線に隣接した第４の引き裂き線をさらに含む、請求項２６に記載のカートンブランク。
【請求項２８】
前記第３および第４の引き裂き線間に、前記第１の側部パネルを通って延在する第２の長手方向折り目線をさらに含む、請求項２６に記載のカートンブランク。
【請求項２９】
前記第１および第２の引き裂き線、ならびに前記第１および第２の長手方向折り目線は、略共線である、請求項２８に記載のカートンブランク。
【発明の詳細な説明】
【優先権の主張】
【０００１】
本出願は、米国仮出願第６０／７３１，１０３（２００５年１０月２８日出願）、および米国仮出願第６０／７８４，６３７号（２００６年３月２１日に出願）の利益を主張するものであり、両出願の内容は参照することによりその全体が本書に組み込まれる。
【背景技術】
【０００２】
従来の板紙カートンは、公知である。このようなカートンは、しばしば、板紙カートンの内側に袋または他の容器を含み、カートンの内容物を収容する。この袋は、食品または他の分配可能な製品の格納に使用することが可能である。しかし、従来の板紙カートンは、開口および／封止が困難な場合があり、また、確実に封止することができない場合がある。袋の封止が不十分であれば、カートンの内容物が漏れる可能性が生じる、または、内容物が昆虫や他の環境因子に接触する場合がある。また、従来の板紙カートンは、ある容積を占有するが、この量は、製品が最初に販売されるときに、カートン内に保持される製品の量によって決まる。カートン内に保持された製品の一部が消費されたときに、カートンは、量が減少した製品を格納するために比較的大きな収納場所（制限される場合がある）を占有するままとなる。
【発明の開示】
【０００３】
第１の実施形態によれば、カートンは、第１の端部パネルと、第１の側部パネルと、第２の端部パネルと、第２の側部パネルと、上部パネルと、底部パネルとを含む。再封止可能な蓋は、カートンの上部内に画定される。再封止可能な蓋は、開口することによってカートンの内容物を利用できるようになり、次いで、第１の側部パネルの方へカートンの蓋の第１のセクションを旋回することによって閉じることができる。例えば袋のような軟質容器がカートン内に収容されている場合、この軟質容器の上部を第１のセクションと第１の側部パネルとの間に押圧して、カートンの内容物を閉じ込めることができる。第１のセクションは、その後第１の側部パネルから離れるように旋回して、必要に応じてカートンを再開口および再封止することが可能である。
【０００４】
上述の実施形態の一側面によれば、再封止可能な蓋は、繰り返して開口および再封止することが可能であり、カートンの内容物を容易に利用することが可能である。封止したときに、蓋は、カートンの内容物が容器内に確実に保持されるように、軟質容器の上部を固定することができる。
【０００５】
また、第１の実施形態によれば、開閉した後にカートンの高さが低くなる。それによって、カートンの内容物は、元のカートンよりも少ない容積を占有するカートン内に格納される。
【０００６】
本発明の他の側面、特徴、および詳細は、図面とともに用いられる以下の説明を参照することによって、また添付の特許請求の範囲からより適切に理解されよう。
【０００７】
一般的な方法に従って、下述の図面の種々の特徴は、必ずしも一定の比率で描画されているわけではない。図面内の種々の特徴の寸法および要素は、本発明の実施形態をより明確に示すように、拡大または縮小される場合がある。
【発明を実施するための最良の形態】
【０００８】
本実施形態は、カートンの内容物を、カートン内に確実に保持することができる再封止可能な蓋に関する。カートンは、開口して再封止した後に占有する容積が少なくなる。本明細書では、「上部」、「側部」、「端部」、および「底部」という用語は、説明を明確にするためにだけ使用されるものであり、添付の特許請求の範囲に記載されている場合を除き、本発明の範囲を限定することを意図するものではない。
【０００９】
図１は、本発明の第１の実施形態による、再封止可能な蓋１６０を有するカートン１５０（図２に示す）の形成に使用されるブランク８の第１の外側の平面図である。ブランク８は、第１の横断方向の折り目線３１で第１の側部パネル３０に折り畳み可能に接続された第１の端部パネル１０と、第２の横断方向の折り目線５１で第１の側部パネル３０に折り畳み可能に接続された第２の端部パネル５０と、第３の横断方向の折り目線７１で第２の端部パネル５０に折り畳み可能に接続された第２の側部パネル７０とを含む。接着パネル８０は、第４の横断方向の折り目線８１で第２の側部パネル７０に折り畳み可能に接続することができる。
【００１０】
第１の端部パネル１０は、第１の端上部フラップ１６および第１の端底部フラップ１８に折り畳み可能に接続される。第１の側部パネル３０は、第１の側上部フラップ３６および第１の側底部フラップ３８に折り畳み可能に接続される。第２の端部パネル５０は、第２の端上部フラップ５６および第２の端底部フラップ５８に折り畳み可能に接続される。第２の側部パネル７０は、第２の側上部フラップ７６および第２の側底部フラップ７８に折り畳み可能に接続される。上部フラップ１６、３６、５６、および７６は、ブランク８の第１または上部周縁領域に沿って延在し、第１の長手方向に延在する折り目線６２に沿って折り畳み可能に接続することが可能である。底部フラップ１８、３８、５８、および７８は、ブランク８の第２のまたは底部周縁領域に沿って延在し、第２の長手方向に延在する折り目線６４に沿って折り畳み可能に接続することが可能である。
【００１１】
第１および第２の長手方向折り目線６２および６４は、例えば、略直線の折り目線とするか、または、折り目線６２および６４は、例えばブランクの厚さまたは他の因子を補うように１つ以上の位置においてオフセットすることが可能である。カートン１５０を組み立てるときには、上部フラップ１６、３６、５６、および７６は、カートン１５０の上部を封止し、底部フラップ１８、３８、５８、および７８は、カートン１５０の底部を封止する。第１の側上部フラップ３６は、例えば、状況に応じてタブ４０を含むことができ、第２の側上部フラップ７６は、凹部８１を含むことが可能である。
【００１２】
長手方向に延在する折り目線１２０および１２１は、ブランク８に沿って延在する。長手方向折り目線１２０は、第２の側部パネル７０における第２の側部蓋パネル１３７の底部縁を画定し、折り畳み線１２１は、第１の側部パネル３０における第１の側部蓋パネル１３３の底部縁を画定する。第１の長手方向引き裂き線セクション１２２は、第１の端部パネル１０における第１の端部蓋パネル１３１の底部縁を画定し、第２の長手方向引き裂き線セクション１２４は、第２の端部パネル５０における第２の端部蓋パネル１３５の底部縁を画定する。線１２０、１２１、１２２、および１２４は、例えば、共線または略共線とすることが可能である。横断方向に延在するコーナー部引き裂き線１２６および１２８は、それぞれ横断方向の折り目線３１および５１に沿って延在させることが可能である。
【００１３】
例示的な組み立て方法によれば、カートン１５０は、接着パネル８０の外側が第１の端部パネル１０の内側と接触するように、接着パネル８０に接着剤を塗布し、ブランク８を横断方向折り目線３１および７１の周囲で平らに折り畳むことによって組み立てることが可能である。第１の端部パネル１０は、例えば糊、接着剤、または別の手段によって接着パネル８０に接着することができる。ブランク８は、次いで、略管形状を有するように「開口」または「組み立てる」ことが可能である。管状のカートンの上部を閉じるには、第１および第２の端上部フラップ１６および５６を、次いで第２の側上部フラップ７６を、その後に第１の側上部フラップ３６を内方へ折り畳む。第１の側上部フラップ３６の下面は、第２の側上部フラップ７６の外側に接着される。第２の側上部フラップ７６は、例えば２つの場所７７で、第１の側上部フラップ３６に接着することが可能である。第１および第２の側上部フラップ３６および７６の一部も、第１および第２の端上部フラップ１６および５６に接着することが可能である。管状のカートンの底部を閉じるには、第１および第２の端底部フラップ１８および５８を、次いで第２の側底部フラップ７８を、その後に第１の側底部フラップ３８を内方へ折り畳む。第１の側底部フラップ３８の下面は、第２の側底部フラップ７８の外側に接着される。第１および第２の側底部フラップ３８および７８の一部も、第１および第２の端底部フラップ１８および５８に接着することが可能である。例えば、製品を充填した袋１１０（図４に示す）または他の軟質容器を、カートンの上部および底部を閉じる前に、いつでも従来の様態でカートン１５０内に挿入することが可能である。製品は、例えば、分配可能な食品とすることが可能である。
【００１４】
図２および３は、組み立て済みカートン１５０を示す図である。組み立て済みカートン１５０では、上部フラップ１６、３６、５６、および７６は上部パネル１７０を形成し、底部フラップ１８、３８、５８、および７８は底部パネル１８０を形成する。再封止可能な蓋１６０はカートン１５０の上部として形成され、カートン１５０の外周周辺に延在する蓋パネル１３１、１３３、１３５、および１３７と、上部パネル１７０とを含む。長手方向に延在する折り目線１２０および１２１、ならびに引き裂き線１２２および１２４は、蓋１６０の底部縁を略画定する。カートン１５０は略直方体であり、未開口の初期の高さはＨ１である。
【００１５】
図４乃至８は、再封止可能な蓋１６０の開口および再封止を示す図である。図４を参照すると、上部パネル１７０は、第１および第２の側上部フラップ３６および７６において上部パネル１７０を分離することによって開口することができる。側上部フラップ３６および７６は、例えば、上部パネル１７０上を内方に押すか、またはタブ４０において、第１の側上部フラップ３６を引っ張ることによって分離することができる。第１の側上部フラップ３６は、次いで、そこに接着されている場合は、第２の側上部フラップ７６から、また第１および第２の端上部フラップ１６および５６から離れる方へ引っ張ることができる。カートン１５０は、第１の側部蓋パネル１３３が、第１および第２の端部蓋パネル１３１および１３５から分離され、矢印の方向に旋回されるように、垂直のコーナー部引き裂き線１２６および１２８に沿ってさらに裂かれる。
【００１６】
図５を参照すると、第１の側部蓋パネル１３３は、長手方向折り目線１２１において、第１の側部パネル３０の残りの底部セクションの方へ外方および下方へさらに旋回される。蓋パネル１３１、１３５、および１３７、ならびに上部フラップ１６、５６、および７６は、再封止可能な蓋１６０の第１のセクション１６１を形成する。第１の側部蓋パネル１３３および第１の側上部フラップ３６は、再封止可能な蓋１６０の第２のセクション１６２を形成する。第１および第２の端部蓋パネル１３１および１３５は、第１の蓋セクション１６１を折り目線１２０の周囲に矢印の方向に旋回することによって、引き裂き線１２２および１２４のそれぞれにおいて、第１および第２の端部パネル１０および５０の残部から分離される。これでカートン１５０が開口される。必要に応じて、軟質容器１１０の上部セクションは、この時点で破るかまたは開口して、内容物を分配することが可能である。
【００１７】
図６乃至８は、再封止可能な蓋１６０の再封止を示す図である。図６および７を参照すると、蓋１６０の第１のセクション１６１は、矢印の方向へ、折り目線１２０の周囲に前方に旋回される。袋１１０の上部１３３は、袋の内容物が袋１１０内に確実に保持されたままとなるように、第１および第２の蓋セクション１６１および１６２の間に十分強固に押圧することができる。第２のセクション１６２は、別個の動作で前方へ旋回する必要はなく、第１のセクション１６１を前方に旋回することで、第２のセクション１６２を旋回し、かつ２つのセクション１６１および１６２間に袋１１０を押し込む役目をすることができる。
【００１８】
図８は、袋１１０の上部１３３が、第１および第２の蓋セクション１６１および１６２の間に保持された、再封止状態にあるカートン１５０を示す図である。図８では、袋１１０の上部１３３が第１の側部パネル３０に隣接するように、第１の蓋セクション１６１が、図２乃至５における位置に対してほぼ９０°回転される。
【００１９】
再封止の後のカートン１５０の高さはＨ２である。再封止後の高さＨ２は、図２に示される未開口のカートン１５０の高さＨ１から、蓋パネル１３１、１３３、１３５、および１３７の高さ分だけ低くなる。したがって、再封止されたカートン１５０の占有する容積は、未開口のカートン１５０よりも少ない。高さＨ２は、例えば、元の未開口のカートンの高さＨ１の９０％未満となりうる。他の実施形態では、再封止された高さＨ２は、元のカートン高さＨ１の８０％未満となりうる。
【００２０】
図９は、本発明の第二の実施形態による、再封止可能な蓋５６０を有する（図１０および１１に示される）カートン５５０の形成に使用されるブランク４０８の第１の外側の平面図である。ブランク４０８は、図１に示されるブランク８に、略類似したものとすることができる。図９乃至１１では、図１乃至８の要素に類似した特定の要素には類似した参照番号が付され、図９乃至１１の参照番号は先頭が「４」または「５」である。ブランク４０８は、一側面では、第２の側上部パネル４７６が、第１の側上部パネル４３６よりも長く、組み立て済みカートン５５０の上部パネルの略全体にわたって延在する、という点においてブランク８とは異なる。また、ブランク４０８は、第２の側上部フラップ４７６内に凹部、または第１の側上部フラップ４３６内にタブを含まない。
【００２１】
ブランク４０８は、カートン１５０の組み立てに対して上述した例示的な方法に類似した方法でカートンに組み立てることができる。なお、カートン５５０の上部を閉じるには、第１および第２の端上部フラップ６１６および６５６に続いて、第２の側上部フラップ４７６を内方へ折り畳み、端上部フラップ４１６および４５６の外側に接着する。第１の側上部フラップ４３６は、次いで折り目線４６２の周囲に折り畳まれ、第２の側上部フラップ４７６の外側に接着される。必要に応じて、分配可能な製品を充填した袋（図示せず）または他の好適な軟質容器を、カートンの上部および底部を閉じる前に、いつでも従来の様態でカートン５５０内に挿入することが可能である。
【００２２】
図１０は、開口されているカートン５５０を示す図である。カートン５５０は、第１の側上部フラップ４３６を第２の側上部フラップ４７６から離れる方へ引っ張り、垂直のコーナー部引き裂き線５２６および５２８に沿って引き裂くことによって開口される。それによって、第１の側部蓋パネル５３３は、側部蓋パネル５３１および５３５から分離される。蓋５６０の第２のセクション５６２は、次いで矢印の方向に前方へ旋回される。第１のセクション５６１は、第１のセクション５６１が、引き裂き線５２２および５２４において、それぞれ第１および第２の側部パネル４１０および４５０から分離するように、折り目線５２０（図９内に示す）の周囲を逆に旋回される。
【００２３】
図１１は、再封止された状態のカートン５５０を示す図である。カートン５５０は、第１のセクション５６１が、カートン５５０の開口上端部を封止し、また第２のセクション５６２に当接するように、折り目線５２０の周囲を前方に旋回することによって再封止される。この位置では、第１のセクション５６１は、第２の側上部フラップ４７６が第１の側部パネル４３０に隣接するように、図１０における位置に対してほぼ９０°旋回される。袋がカートン内に存在すれば、袋の上部は、第１および第２のセクション５６１および５６２の間に袋を封止するように押圧することが可能である。比較的大きな第２の側部上部パネル４７６は、蓋５６０の確実な封止を提供する。第２の側部上部パネル４７６の大きな表面積を使用して、再封止後にカートンの第１の側部に製品のロゴ、他の情報を表示することも可能である。
【００２４】
図１２は、本発明の第３の実施形態による、再封止可能な蓋７６０を有する（図１３に示される）カートン７５０の形成に使用されるブランク６０８の第１の外側の平面図である。ブランク６０８は、上述のブランク８および２０８に、略類似したものとすることができる。図１２乃至１５では、図１乃至８の要素に類似した特定の要素には類似した参照番号が付され、図１２乃至１５の参照番号は先頭が「６」または「７」である。ブランク６０８は、一側面では、第２の側上部パネル６７６が、第１の側上部パネル６３６よりも長く、組み立て済みカートン７５０の上部パネルの略全体にわたって延在する、という点においてブランク８とは異なる。ブランク６０８は、カートン７５０の開口の開始に使用することができる第１の側上部パネル６３６を通って延在する、開封帯７４０も含む。開封帯７４０は、第１の側上部パネル６３６内に形成された、離間した長手方向に延在する引き裂き線７４２および７４４によって画定される。
【００２５】
ブランク６０８は、カートン１５０の組み立てに対して上述した例示的な方法に類似した方法でカートンに組み立てることができる。なお、カートン７５０の上部を閉じるには、第１および第２の端上部フラップ６１６および６５６に続いて、第２の側上部フラップ６７６を内方へ折り畳み、端上部フラップ６１６および６５６の外面に接着する。第１の側上部フラップ６３６は、次いで第２の側上部フラップ６７６の外側に接着される。開封帯７４０の除去を容易にするために、開封帯７４０は、上部フラップ６１６、６５６および６７６に接着せずにおくか、または、必要に応じて、それらに軽度に接着することが可能である。分配可能な製品を充填した袋（図示せず）または他の好適な軟質容器を、カートンの上部および底部を閉じる前に、いつでも従来の様態でカートン７５０内に挿入することが可能である。
【００２６】
図１３および１４は、開口されているカートン７５０を示す図である。図１３を参照すると、カートン７５０は、開封帯７４０を引っ張ることによって開口され、この開封帯は離間した引き裂き線７４２および７４４に沿って裂ける。図１４を参照すると、第２の蓋セクション７６２に対応する第１の側部蓋パネル７３３は、次いで垂直のコーナー部引き裂き線７２６および７２８において、それぞれ側部蓋パネル７３１および７３５から分離され、矢印の方向に前方へ旋回される。第１のセクション７６１は、第１のセクション７６１が、引き裂き線７２２および７２４において、それぞれ第１および第２の側部パネル６１０および６５０から分離するように、折り目線７２０の周囲を逆に旋回される。
【００２７】
図１５は、再封止された状態のカートン７５０を示す図である。第１の蓋セクション７６１が、カートン７５０の開口上端部を封止し、また第１のセクション７６１に当接するように、カートン７５０は、第１の蓋セクション７６１を折り目線７２０の周囲を前方に旋回することによって再封止される。この位置では、第１のセクション７６１は、第２の側上部フラップ６７６が第１の側部パネル６３０に隣接するように、図１４における位置に対してほぼ９０°旋回される。袋がカートン７５０内に存在すれば、袋の上部は、第１および第２のセクション７６１および７６２の間に袋を封止するように押圧することが可能である。
【００２８】
上述の実施形態では、蓋の第２のセクションは、カートンを開口したときに、状況に応じて取り除くことが可能である。このような構成では、蓋の第１のセクションは、第１のセクションを前方へ旋回して、第１の蓋セクションと第１の側部パネルの残部との間に袋の内容物を確実に保持するように構成することが可能である。第２の蓋セクションの除去を容易にするように、切れ目または他のミシン目を第１の側部蓋パネルの折り目線に配置することが可能である。
【００２９】
上述の実施形態によれば、再封止可能な蓋は、カートンの内容物を容易に利用できるようにする。再封止可能な蓋は、容易に開口することができ、かつ繰り返し再封止することができる。封止するときには、蓋は、カートンの内容物が袋内に確実に保持されたままとなるように、袋または他の軟質容器の上部を固定することができる。また、上述の実施形態によれば、カートンは、蓋を開口して再封止した後に占有する容積が少なくなる。カートンの高さは、例えば、１０％、２０％、またはそれ以上低くすることが可能である。
【００３０】
上述の例示的な実施形態では、ブランクは、クレーコート新聞用紙（ｃｌａｙ  ｃｏａｔｅｄ  ｎｅｗｓｐｒｉｎｔ：ＣＣＮ）から形成することが可能である。概して、ブランクは、従来の紙よりもより重く堅固であるように、例えば、少なくとも約１２のキャリパ（ｃａｌｉｐｅｒ）を有する板紙で構成することが可能である。ブランク、したがってカートンは、少なくとも概ね上述の特徴を可能にするに好適な特性を有する他の材料から構成することも可能である。例えば無地無漂白クラフト（ｓｏｌｉｄ  ｕｎｂｌｅａｃｈｅｄ  ｓｕｌｆａｔｅ：ＳＵＳ）板紙を使用して、本発明の原理に基づいてカートンを形成することが可能である。
【００３１】
ブランクの内側および／または外側は、クレーコーティングによってコーティングすることができる。クレーコーティングの上には、次いで、製品、広告、価格コード、および他の情報または画像を印刷することが可能である。ブランクは、次いで、ブランク上に印刷されたあらゆる情報を保護するように、ワニスでコーティングすることが可能である。ブランクは、例えば防湿層をブランクの片側または両側にコーティングするか、または選択したパネルまたはパネルセクションに１つ以上のシート状の材料をラミネート加工またはコーティングすることも可能である。
【００３２】
本発明の例示的な実施形態によれば、折り目線は、必ず直線とする必要はないが、カートンの通常の使用中に、その線に沿った折り畳みを容易にする、ブランク内の略直線状の分断線（ｌｉｎｅ  ｏｆ  ｄｉｓｒｕｐｔｉｏｎ）とすることができる。より具体的には、本発明の範囲を狭めるものではないが、折り目線は、スコア線、折り目線、切れ目または所望の脆弱線（ｌｉｎｅ  ｏｆ  ｗｅａｋｎｅｓｓ）に沿ってブランク内に部分的に延在する、および／またはこれを完全に貫通する一つの、あるいは、一連の切れ目、およびこれらの特徴の種々の組み合わせを含む。
【００３３】
本願明細書に表される記述のために、「分断線」という用語を用いて、切れ目線、スコア線、引き裂き線、折り目線、ミシン目、折り目線、それらの組み合わせ、またはブランク内に形成された他の分断を概ね示すことができる。本明細書に開示したように、「破断可能な」分断線とは、カートンの通常の使用中に、破られるまたは裂かれることを意図した分断線のことである。
【００３４】
引き裂き線は、それに沿って裂くことを容易にするあらゆる破断可能な分断線とすることができる。具体的には、本発明の範囲を狭めるものではないが、引き裂き線は、所望の脆弱線に沿って材料内に部分的に延在する一つの切れ目、および／または所望の脆弱線に沿って材料内に部分的に延在する、および／またはこれを完全に貫通する一連の切れ目、およびこれらの特徴の種々の組み合わせを含む。より具体的な例として、あるタイプの引き裂き線は、材料を完全に貫通する一連の切れ目の形態であり、隣接する切れ目は、材料の小さな略ブリッジ状の部分（例、ニック）が隣接した切れ目の間に確定されるように、わずかに隔設される。このニックは、引き裂き線に沿って裂いている間に破られる。
【００３５】
本願明細書で使用される「線」という用語は、直線だけでなく、湾曲線、曲線、または角度的に変位した線のような他のタイプの線も含む。
【００３６】
上述の実施形態は、糊によって接着された１つ以上のパネルを有するものと説明することが可能である。「糊」という用語は、板紙カートンパネルを適所に固定するために一般的に使用されるあらゆる種類の接着剤の包含を意図するものである。
【００３７】
本願明細書では、「パネル」または「フラップ」は、平坦または平面でなくてもよい。「パネル」または「フラップ」は、例えば、複数の相互接続した略平坦または平面のセクションを含むことができる。
【００３８】
本発明は、例示的な実施形態に関して上述されているが、以下の請求項に記載されるような本発明の精神と範囲から逸脱することなく、様々な追加、改良、変更が可能であると、当業者には理解されよう。
【図面の簡単な説明】
【００３９】
【図１】本発明の第１の実施形態による、再封止可能な蓋を有するカートンの形成に使用されるブランクの平面図である。
【図２】本発明の第１の実施形態によるカートンを示す図である。
【図３】第１のカートンの実施形態の上面斜視図である。
【図４】第１のカートンの実施形態の再封止可能な蓋の開口および再封止を示す図である。
【図５】第１のカートンの実施形態の再封止可能な蓋の開口および再封止を示す図である。
【図６】第１のカートンの実施形態の再封止可能な蓋の開口および再封止を示す図である。
【図７】第１のカートンの実施形態の再封止可能な蓋の開口および再封止を示す図である。
【図８】第１のカートンの実施形態の再封止可能な蓋の開口および再封止を示す図である。
【図９】本発明の第２の実施形態による、再封止可能な蓋を有するカートンの形成に使用されるブランクの平面図である。
【図１０】第２のカートンの実施形態の再封止可能な蓋の開口および再封止を示す図である。
【図１１】第２のカートンの実施形態の再封止可能な蓋の開口および再封止を示す図である。
【図１２】本発明の第３の実施形態による、再封止可能な蓋を有するカートンの形成に使用されるブランクの平面図である。
【図１３】第３のカートンの実施形態の再封止可能な蓋の開口および再封止を示す図である。
【図１４】第３のカートンの実施形態の再封止可能な蓋の開口および再封止を示す図である。
【図１５】第３のカートンの実施形態の再封止可能な蓋の開口および再封止を示す図である。
【図１】
2009513451.tif 000003
【図２】
2009513451.tif 000004
【図３】
2009513451.tif 000005
【図４】
2009513451.tif 000006
【図５】
2009513451.tif 000007
【図６】
2009513451.tif 000008
【図７】
2009513451.tif 000009
【図８】
2009513451.tif 000010
【図９】
2009513451.tif 000011
【図１０】
2009513451.tif 000012
【図１１】
2009513451.tif 000013
【図１２】
2009513451.tif 000014
【図１３】
2009513451.tif 000015
【図１４】
2009513451.tif 000016
【図１５】
2009513451.tif 000017
【手続補正書】
【提出日】平成20年7月22日(2008.7.22)
【手続補正１】
【補正対象書類名】特許請求の範囲
【補正対象項目名】全文
【補正方法】変更
【補正の内容】
【特許請求の範囲】
【請求項１】
カートンを開閉する方法において、
第１の端部パネルと、
第１の側部パネルと、
前記第１の端部パネルの反対側の第２の端部パネルと、
前記第１の側部パネルの反対側の第２の側部パネルと、
底部パネルと、
上部パネルとを含み、
再封止可能な蓋は、前記上部パネルの少なくとも一部と、前記第１の端部パネルの少なくとも一部と、前記第２の端部パネルの少なくとも１部とを含み、前記再封止可能な蓋は、前記第２の側部パネルに旋回可能に載置された第１のセクションを有する、カートンを提供するステップと、
カートンを開口するステップと、
前記第１のセクションが前記第１の側部パネルの方へ移動するように、前記第１のセクションを旋回するステップと、
を含む、方法。
【請求項２】
前記第１の側部パネルの方へ前記第１のセクションを旋回するステップは、前記上部パネルの前記一部を、前記第１の側部パネルに隣接するまで旋回するステップを含む、請求項１に記載の方法。
【請求項３】
前記再封止可能な蓋は、前記第１の側部パネルの少なくとも一部を含む第２のセクションを含む、請求項１または２に記載の方法。
【請求項４】
前記第１の側部パネルの方へ前記第１のセクションを旋回するステップは、前記上部パネルの前記一部を、前記蓋の前記第２のセクションに隣接するまで旋回するステップを含む、請求項３に記載の方法。
【請求項５】
前記第１の側部パネルの方へ前記第１のセクションを旋回するステップは、前記第２の側部パネル内の折り目線の周囲で前記第１のセクションを旋回するステップを含む、請求項１乃至４のいずれか一項に記載の方法。
【請求項６】
軟質容器が前記カートン内に配置される、請求項１乃至５のいずれか一項に記載の方法。
【請求項７】
前記第１の側部パネルの方へ前記第１のセクションを旋回するステップは、前記上部パネルの前記一部と前記第１の側部パネルとの間に、前記軟質容器の上部を押圧するステップを含む、請求項６に記載の方法。
【請求項８】
前記上部パネルの前記一部と前記第１の側部パネルとの間に前記軟質容器の上部を押圧するステップは、前記再封止可能な蓋の第２のセクションに対して前記軟質容器を押圧するステップを含む、請求項７に記載の方法。
【請求項９】
前記カートンを開口するステップは、
前記第１の端部パネルの残部から前記第１の端部パネルの蓋部分を分離するステップと、
前記第２の端部パネルの残部から前記第２の端部パネルの蓋部分を分離するステップと、を含む請求項１乃至８のいずれか一項に記載の方法。
【請求項１０】
前記カートンを開口するステップは、前記第１の端部パネルの前記蓋部分から、前記第１の側部パネルの蓋部分を分離するステップを含む、請求項９に記載の方法。
【請求項１１】
前記カートンを開口するステップは、前記上部パネル内の開封帯を引き裂くステップを含む、請求項１乃至１０のいずれか一項に記載の方法。
【請求項１２】
前記上部パネルは、複数の端上部フラップを含む、請求項１乃至１１のいずれか一項に記載の方法。
【請求項１３】
前記カートンは、略直方体である、請求項１乃至１１のいずれか一項に記載の方法。
【請求項１４】
カートンであって、
第１の端部パネルと、
第１の側部パネルと、
前記第１の端部パネルの反対側の第２の端部パネルと、
前記第１の側部パネルの反対側の第２の側部パネルと、
底部パネルと、
上部パネルと、を含み、
再封止可能な蓋が、少なくとも前記上部パネル、前記第１の端部パネル、および第２の端部パネル内に画定され、前記再封止可能な蓋は、前記第２の側部パネルに旋回可能に載置された第１のセクションを有する、カートン。
【請求項１５】
前記再封止可能な蓋は、
前記第１の端部パネル内に画定された第１の端部蓋パネルと、
前記第２の端部パネル内に画定された第２の端部蓋パネルと、を含む請求項１４に記載のカートン。
【請求項１６】
前記再封止可能な蓋は、
前記第１の端部パネルの上部を横断して延在し、前記第１の端部蓋パネルの底部縁を画定する、破断可能な分断線と、
前記第２の端部パネルの上部を横断して延在し、前記第２の端部蓋パネルの底部縁を画定する、破断可能な分断線と、によって部分的に画定される請求項１５に記載のカートン。
【請求項１７】
前記再封止可能な蓋は、
前記第１の端部蓋パネルと前記第１の側部パネルの一部との間の破断可能な分断線と、
前記第２の端部蓋パネルと前記第１の側部パネルの一部との間の破断可能な分断線と、によってさらに部分的に画定される請求項１６に記載のカートン。
【請求項１８】
前記再封止可能な蓋は、少なくとも前記第１の側部パネル内に画定された第２のセクションを含む、請求項１４乃至１７のいずれか一項に記載のカートン。
【請求項１９】
前記第１のセクションは、少なくとも１つの引き裂き線で前記第２のセクションに接続される、請求項１８に記載のカートン。
【請求項２０】
前記カートン内に収容される軟質容器をさらに含む、請求項１４乃至１９のいずれか一項に記載のカートン。
【請求項２１】
前記第１のセクションの底部縁は、前記第２の側部パネルを横断して延在する折り目線によって画定される、請求項１４乃至２０のいずれか一項に記載のカートン。
【請求項２２】
前記上部パネル内に開封帯をさらに含む、請求項１４乃至２１のいずれか一項に記載のカートン。
【請求項２３】
前記上部パネルは、複数の端上部フラップを含む、請求項１４乃至２２のいずれか一項に記載のカートン。
【請求項２４】
前記カートンは、略直方体である、請求項１４乃至２３のいずれか一項に記載のカートン。
【請求項２５】
カートンブランクであって、
第１の端部パネルと、
第１の横断方向折り目線で前記第１の端部パネルに接続された第１の側部パネルと、
第２の端部パネルと、
第２の横断方向折り目線で前記第２の端部パネルに接続された第２の側部パネルと、
前記ブランクの第１の周縁の領域に沿って延在する、少なくとも１つの上部フラップと、
前記ブランクの第２の周縁の領域に沿って延在する、少なくとも１つの底部フラップと、
前記第２の側部パネルを通って延在する、第１の長手方向折り目線と、
前記第１の端部パネルと前記第１の側部パネルとの間に略横断方向に延在する第１の引き裂き線と、
前記第２の端部パネルと前記第２の側部パネルとの間に略横断方向に延在する第２の引き裂き線と、
を含む、カートンブランク。
【請求項２６】
前記第１の端部パネルを通って略長手方向に延在し、前記第１の引き裂き線に隣接した第３の引き裂き線をさらに含む、請求項２５に記載のカートンブランク。
【請求項２７】
前記第２の端部パネルを通って略長手方向に延在し、前記第２の引き裂き線に隣接した第４の引き裂き線をさらに含む、請求項２６に記載のカートンブランク。
【請求項２８】
前記第３および第４の引き裂き線間に、前記第１の側部パネルを通って延在する第２の長手方向折り目線をさらに含む、請求項２６に記載のカートンブランク。
【請求項２９】
前記第１および第２の引き裂き線、ならびに前記第１および第２の長手方向折り目線は、略共線である、請求項２８に記載のカートンブランク。
【国際調査報告】
2009513451.tif 000018
2009513451.tif 000019
2009513451.tif 000020